(57)【要約】【課題】構造が簡単で衣類の取り付け、取り外しが簡単なクリップ機能を有する衣類用ハンガを提供する。【解決手段】衣類用ハンガ１０は、ハンガ本体１１とストッパ１３とを有し、前記ハンガ本体は前記ストッパが設けられる第１の架部材２１と、前記第１の架部材と対向するように中間部材２２を介して設けられた第２の架部材２３とからなり、前記ストッパ１３は前記第１の架部材２１における一対の両端部２５に回動自在に装着される保持部材３２と、この保持部材中に挿入されてその反発力により前記ストッパを基点に戻すゴム部材３３とから構成されている。【選択図】    図１
2004290332.tif 000002
【特許請求の範囲】
【請求項１】
ハンガ本体とストッパとを有する衣類を支持するハンガであって、
前記ハンガ本体は前記ストッパが設けられる第１の架部材と、前記第１の架部材と対向するように中間部材を介して設けられた第２の架部材とからなり、
前記ストッパは前記第１の架部材における一対の両端部に回動自在に装着される保持部材と、この保持部材中に挿入されてその反発力により前記ストッパを基点に戻すゴム部材とからなる
ことを特徴とする衣類用ハンガ。
【請求項２】
前記ハンガ本体は衣類を取り外すための空間部を有する略Ｃ字型形状に形成されていることを特徴とする請求項１記載の衣類用ハンガ。
【請求項３】
前記ゴム部材は、一端が前記第１の架部材における各両端部の裏面に当接する帯状部と、他端が前記保持部材の頂部から露出して前記第２の架部材の裏面と当接する頭状部とからなることを特徴とする請求項１又は２記載の衣類用ハンガ。
【請求項４】
前記頭状部の表面及び端面は円弧状であることを特徴とする請求項３記載の衣類用ハンガ。
【請求項５】
前記保持部材は前記第１の架部材における一対の両端部に対して着脱自在に装着されていることを特徴とする請求項１乃至４のいずれか１記載の衣類用ハンガ。
【発明の詳細な説明】
【０００１】
【発明の属する技術分野】
本発明は、ズボン、スカート等の衣類用ハンガに関し、特に、衣類の取り付け及び取り外しが簡単な衣類用ハンガに関するものである。
【０００２】
【従来の技術】
ズボン、スカート等の衣類用ハンガとして、いわゆるハンガが使用されているが、これらに衣類を掛ける際、衣類を筋目に合わせて折りたたみ、折り返して支持したり、或いはハンガにクリップを設けて衣類を固定している。
【０００３】
しかしながら、いずれにおいても、ハンガに衣類をスムースに取り付けたり、取り外すことはできず、取り付けることができても、ハンガを洋服タンスに掛けた際には、衣類の重みにより外れたりして、極めて使い勝手が悪く、衣類の取り付け、取り外しに要する時間も多くなる。
【０００４】
【発明が解決しようとする課題】
それ故、本発明の目的は、構造が簡単なクリップ機能を有する衣類用ハンガを提供することにある。
【０００５】
本発明の他の目的は、衣類の取り付け、取り外しが簡単なクリップ機能を有する衣類用ハンガを提供することにある。
【０００６】
【課題を解決するための手段】
本発明によれば、衣類用ハンガは、ハンガ本体とストッパとを有し、前記ハンガ本体は前記ストッパが設けられる第１の架部材と、前記第１の架部材と対向するように中間部材を介して設けられた第２の架部材とからなり、前記ストッパは前記第１の架部材における一対の両端部に回動自在に装着される保持部材と、この保持部材中に挿入されてその反発力により前記ストッパを基点に戻すゴム部材とからなる。
【０００７】
【発明の実施の形態】
本発明による衣類用ハンガは、ハンガ本体とストッパとを有し、前記ハンガ本体は前記ストッパが設けられる第１の架部材と、前記第１の架部材と対向するように中間部材を介して設けられた第２の架部材とからなり、前記ストッパは前記第１の架部材における一対の両端部に回動自在に装着される保持部材と、この保持部材中に挿入されてその反発力により前記ストッパを基点に戻すゴム部材とから構成されている。
【０００８】
また、前記ゴム部材は、一端が前記第１の架部材における各両端部の裏面に当接する帯状部と、他端が前記保持部材の頂部から露出して前記第２の架部材の裏面と当接する頭状部とからなり、前記頭状部の表面及び端面は円弧状となっている。
【０００９】
【実施例】
図１は本発明の実施例によるズボンハンガ１０の斜視図を示し、図２（ａ）及び（ｂ）はその一側面図及び平面図をそれぞれ示す。
【００１０】
即ち、図１及び図２に示すように、前記ズボンハンガ１０は基体となるハンガ本体１１と、ズボン１２を支持するストッパ１３と、前記ハンガ本体１１の上表面にあって、前記ハンガ本体１１を洋服タンス或いはその他の支持体に掛ける吊り下げ部材１４とから構成されている。
【００１１】
前記ハンガ本体１１は、前記ストッパ１３が設けられる第１の架部材２１と、前記第１の架部材２１と対向するように中間部材２２を介して設けられた第２の架部材２３とからなり、前記ズボン１２の取り外しが手で掴むことにより容易となるように空間部２４を有する略Ｃ字型形状に形成されている。図２に示すように、前記ズボン１２の着脱を考慮して、第２の架部材２３の長さは第１の架部材２１よりも長い。
【００１２】
また、前記ストッパ１３は前記第１の架部材２１における一対の両端部２５に着脱自在に取り付けられ、前記中間部材２２の端部２６まで前記ズボン１２の裾側が挿入されて支持されるようになっている。さらに、前記第１の架部材２１の各両端部２５は、前記ストッパ１３を孔部２７を介して装着するため、例えば、断面コ字状に成形されている。
【００１３】
図３は前記ストッパ１３の斜視図を示し、前記ストッパ１３は、前記第１の架部材２１における断面コ字状の各両端部２５の前記孔部２７に挿入されて、両端部の軸部３１を介して着脱自在で回動自在に装着される保持部材３２と、この保持部材３２中に挿入され、その反発力によりストッパ１３を基点に戻すゴム部材３３とからなる。二点鎖線で示すように、前記ストッパ１３は通常前記第１の架部材２１及び第２の架部材２３におけるそれぞれの裏面に対して略垂直となっており、即ち、基点にあって、前記軸部３１に対して前記ズボン１２の挿入方向に回動するが、引き抜き方向には回動しない。
【００１４】
図４（ａ）及び（ｂ）は前記保持部材３２及び前記ゴム部材３３の平面図及び側面図をそれぞれ示す。図４（ａ）に示すように、前記保持部材３２は、一対の起立した側部４１と、前記ゴム部材３３の頭部を保持する保持部４２と、これらと一体に成形された底部４３と、前記各側部４１と一体に形成され、前記第１の架部材２１の各両端部２５に形成された前記孔部２７に結合され、回転軸となる一対の突起部４４とからなり、断面コ字状となっている。
【００１５】
これにより前記保持部材３２は前記各両端部２５に着脱自在で回動自在に装着され、前記底部４３の端部４５が前記第１の架部材２１の裏面と当接して前記ズボン１２が自重で落下する方向に回動しないようにされている。即ち、図示するように、前記保持部４２を含む上端部の幅ｗ１よりも下端部の幅ｗ２が大きくされて前記ズボン１２の落下する方向に回動しないようにされている。
【００１６】
図４（ｂ）に示すように、前記ゴム部材３３は、一端が前記第１の架部材２１における各両端部２４の裏面に当接する帯状部５１と、他端が前記保持部材３２の頂部から露出して前記第２の架部材２３の裏面と当接して前記ズボン１２の裾部を前記第２の架部材２３との間で支持し、淵部５２を有する頭状部５３と、係止部５４を有する中間部５５とからなる。
【００１７】
図５に示すように、前記ゴム部材３３は前記帯状部５１から前記頭状部５３が露出するように前記保持部材３２の前記保持部４２内に挿入され、前記淵部５２および係止部５４により前記保持部材３２の前記保持部４２内に保持される。
【００１８】
前記頭状部５３の表面及び端面は、かまぼこ状のような円弧状となっており、前記ズボン１２の厚みが変動しても常に頂点で押さえられる。
【００１９】
即ち、前記ストッパ１３は前記ゴム部材３３における帯状部５１の反発力により定位置、即ち、図３の二点鎖線に示すように、前記第１の架部材２１及び第２の架部材２３におけるそれぞれの裏面に対して略垂直となる状態にある。前記ズボン１２を前記ハンガ本体１１に挿入した際、前記帯状部５１の反発力により前記ズボン１２と前記ストッパ１３における頭状部５３が接しながら回転軸となる前記突起部４４を軸にして回転する。
【００２０】
この挿入した前記ズボン１２を離すと、前記ズボン１２は自重で下方向に落ちようとするが、既に前記ゴム部材３３における帯状部５１の反発力の働きにより、前記ズボン１２と前記ストッパ１３とが常に接した状態にあるため、瞬時にこの部分に摩擦抵抗が生じ、ストッパ先端部である前記頭状部５３とこれと対向する前記第２の架部材２３の裏面部との間で挟み込まれる。
【００２１】
また、前記ストッパ１３の先端形状、即ち、前記ゴム部材３３の頭状部５３は円弧状となっており、前記ズボン１２の厚みが変動しても常時その頂点で押さえられる。
【００２２】
さらに、前記ズボン１２の自重が働いたときに、摩擦が発生してストッパ先端部と前記ズボン１２との間の摩擦が増幅され、前記ストッパ１３が前記ズボン１２に一層食い込ませて押さえることができ、良好なクリップ機能を得ることができる。
【００２３】
前記ズボン１２を前記ハンガ本体１１から取り外す際には、図６に示すように、略Ｃ字形状に形成された前記ハンガ本体１１の前記空間部２４から前記ズボン１２を掴み、手前方向に平行又は若干手前上方向（ストッパ１３の解除方向への移動）に引っ張ることによりスムースに取り外すことができる。
【００２４】
前記ストッパ１３を含むハンガ本体１１は通常使用され、種々の樹脂で形成され、また、前記ゴム部材３３として、ゴムの代えて軟質樹脂を用いることもできる。
【００２５】
前記実施例において、ハンガに掛ける対象をズボンとしているが、スカート、その他の各種衣類に適用できることは明らかである。
【００２６】
【発明の効果】
本発明によれば、ハンガ本体に設けられたストッパは第１の架部材における一対の両端部に回動自在に装着される保持部材と、この保持部材中に挿入されてその反発力により前記ストッパを基点に戻すゴム部材とから構成されているので、構造が簡単で良好なクリップ機能を有すると共に、衣類の取り付け、取り外しが簡単な衣類用ハンガを得ることができる。
【図面の簡単な説明】
【図１】本発明の実施例によるズボンハンガを示す斜視図である。
【図２】図１における側面図及び平面図である。
【図３】本発明の実施例によるズボンハンガにおけるストッパを示す斜視図である。
【図４】図３におけるストッパの分解した平面図及び側面図である。
【図５】図３におけるストッパの分解斜視図である。
【図６】ズボンをハンガ本体から取り外す状態を示す図である。
【符号の説明】
１０…ズボンハンガ、１１…ハンガ本体、１２…ズボン、１３…ストッパ、１４…吊り下げ部材、２１…第１の架部材、２２…中間部材、２３…第２の架部材、２４…空間部、２５…一対の両端部、２６…端部、２７…孔部、３１…軸部、３２…保持部材、３３…ゴム部材、４１…一対の起立した側部、４２…保持部、４３…底部、４４…一対の突起部、４５…端部、５１…帯状部、５２…淵部、５３…頭状部、５４…係止部、５５…中間部
【図１】
2004290332.tif 000003
【図２】
2004290332.tif 000004
【図３】
2004290332.tif 000005
【図４】
2004290332.tif 000006
【図５】
2004290332.tif 000007
【図６】
2004290332.tif 000008